(57)【特許請求の範囲】
【請求項１】
ノズルを扇状に複数個配設して、左右及び上下に噴霧可能とする噴霧部Ｃと、下方左右に噴霧可能とする下部噴霧部２７と、前記噴霧部Ｃの上方位置で噴霧する上部噴霧装置Ｆを有する自走式防除機であって、
運転席１１の近傍に配置したコラム上に、元コック２１と分岐コック２２を配置し、該元コック２１には動力噴霧機２によって吸引された薬液タンク１３内の薬液を圧送し、該元コック２１は三方向切換弁により構成され、二次側の一方を分岐コック２２に連結し、他方は薬液タンク１３への戻り側ホースを連結し、
前記分岐コック２２は、左中右のコック２２Ｌ・２２Ｍ・２２Ｒを有して三方向に分岐しかつ開閉可能とし、それぞれコック２２Ｌ・２２Ｍ・２２Ｒを噴霧部Ｃの左中右の噴霧部１７Ｌ・１７Ｍ・１７Ｒに接続し、
該左右の前記コック２２Ｌ・２２Ｒには、更に、分岐管２４Ｌ・２４Ｒが接続され、該分岐管２４Ｌ・２４Ｒは下部噴霧部２７の左右の下部噴霧部２７Ｌ・２７Ｒに下部コック２３Ｌ・２３Ｒを介して接続し、
前記左右の下部噴霧部２７Ｌ・２７Ｒより、左右の上部噴霧装置Ｆへの噴霧部４３Ｌ・４３Ｒへの薬液ホース５０Ｌ・５０Ｒを接続し、
前記噴霧部Ｃ、下部噴霧部２７及び上部噴霧装置Ｆをそれぞれ左右独立して噴霧可能としたことを特徴とする自走式防除機の噴霧装置。
【発明の詳細な説明】
【０００１】
【発明の属する技術分野】
本発明は、走行車両に搭載した防除機において、扇形に配置したノズルと、高所位置に配置したノズルによって薬液の散布を行うようにした自走式防除機において、その散布を左右独立して行えるようにする技術に関する。
【０００２】
【従来の技術】
従来から、機体前部に運転部を配置し、その後部に薬液タンクを配置し、その後部に動力噴霧機やエンジン等を配置し、機体後端部に薬液を噴霧する噴霧部を配置した自走式防除機は公知となっている。前記噴霧部にはノズルを上方及び左右方向に扇形に複数配設し、これらのノズルを数本一組として左右及び中央上部にそれぞれ一組ずつ配置して、それぞれ独立して噴霧できるようにしていた。そして、林檎や柿等の樹高の高い果樹で、葉の生い茂っている場合には、低い部分の枝葉へはムラなく散布することができるが、樹木の上方の枝葉まで薬液が到達することができない場合があったので、機体にポールを立てて、該ポール上に左右下方へ噴霧するノズルを配置した技術が同一出願人より提案されている。
【０００３】
【発明が解決しようとする課題】
しかし、中央上方に配置したノズルより左右下方に同時に噴霧させる構成とした場合、圃場端に至り旋回しながら噴霧作業を行うと、機体後部に配置した噴霧部は、左右のノズルの組毎に噴霧の停止、噴出を切り換えることができるが、上方に配置したノズルは左右同時に噴霧する構成としているために、旋回外側は果樹が存在しないにもかかわらず噴霧することになり、薬液の無駄な噴霧となっていた。また、作業開始工程や最終工程で片側にのみ樹木があり、片側散布をしなければならない場合や、急斜面に果樹が栽培されて、片側（谷側）には果樹が存在するが、他側（山側）は斜面または果樹の根元が位置して、左右同時に噴霧すると片側の噴霧が無駄になる場合があったのである。
【０００４】
【課題を解決するための手段】
本発明の解決しようとする課題は以上の如くであり、次に該課題を解決するための手段を説明する。
ノズルを扇状に複数個配設して、左右及び上下に噴霧可能とする噴霧部Ｃと、下方左右に噴霧可能とする下部噴霧部２７と、前記噴霧部Ｃの上方位置で噴霧する上部噴霧装置Ｆを有する自走式防除機であって、運転席１１の近傍に配置したコラム上に、元コック２１と分岐コック２２を配置し、該元コック２１には動力噴霧機２によって吸引された薬液タンク１３内の薬液を圧送し、該元コック２１は三方向切換弁により構成され、二次側の一方を分岐コック２２に連結し、他方は薬液タンク１３への戻り側ホースを連結し、前記分岐コック２２は、左中右のコック２２Ｌ・２２Ｍ・２２Ｒを有して三方向に分岐しかつ開閉可能とし、それぞれコック２２Ｌ・２２Ｍ・２２Ｒを噴霧部Ｃの左中右の噴霧部１７Ｌ・１７Ｍ・１７Ｒに接続し、該左右の前記コック２２Ｌ・２２Ｒには、更に、分岐管２４Ｌ・２４Ｒが接続され、該分岐管２４Ｌ・２４Ｒは下部噴霧部２７の左右の下部噴霧部２７Ｌ・２７Ｒに下部コック２３Ｌ・２３Ｒを介して接続し、前記左右の下部噴霧部２７Ｌ・２７Ｒより、左右の上部噴霧装置Ｆへの噴霧部４３Ｌ・４３Ｒへの薬液ホース５０Ｌ・５０Ｒを接続し、前記噴霧部Ｃ、下部噴霧部２７及び上部噴霧装置Ｆをそれぞれ左右独立して噴霧可能としたものである。
【０００５】
【発明の実施の形態】
次に、本発明の実施の形態を説明する。
図１は本発明の上部噴霧装置を装着した自走式防除機の全体側面図、図２は同じく上部噴霧装置を装着した自走式防除機の後面図、図３は上部噴霧装置の斜視図、図４は噴霧部、下部噴霧部及び上部噴霧装置への薬液を圧送する配管図、図５は同じく他の実施例を示す配管図、図６は作業時の噴霧状態を示す平面図である。
【０００６】
まず、本発明に係る自走式防除機について図１より全体構成から説明する。
左右クローラ１０を巻回してなるクローラ走行装置Ａ上にシャーシ９が固設されていて、該シャーシ９より前方に、運転部Ｂが形成されていて、該運転部Ｂの前方には走行レバーを配置した操作コラム１２が立設されている。該運転部Ｂの後部の左右中央に運転席１１を配置し、該運転席１１の左側に主変速レバーや噴霧の開閉を行うコック２１・２２等を配したサイドコラムが設けられている。該運転席１１の後方のシャーシ９上において、前から薬液タンク１３を、中間部には走行駆動及び動力噴霧機駆動用のエンジンＥ、ミッションケース、手散布用ホースリール１５、バッテリー１９及び動力噴霧機２を内装し、これらをカバー１４にて被覆している。
最後部には、噴霧部カバー１６にて被覆された、複数個のノズル１・１・・・を円弧状に配置した揺動噴霧部１７を配置し、該揺動噴霧部１７は前後左右に同時に揺動するように構成されている。そして、揺動噴霧部１７の両側下部には下部噴霧部２７が下方へ突出され、該下部噴霧部２７に外側方へ噴霧して果樹の根元や低木等に散布できるようにノズル１・１が配設されている。このようにして噴霧部Ｃが構成される。
【０００７】
次に、前記噴霧部１７の構成について図２を用いて説明する。
前記揺動噴霧部１７の外部は、噴霧部カバー１６にて覆われていて、噴霧部１７は左中右の噴霧部１７Ｌ・１７Ｍ・１７Ｒを後面視扇状に配設し、左右の噴霧部１７Ｌ・１７Ｒの下端部より下方に下部噴霧部２７Ｌ・２７Ｒを突出している。前記左中右の噴霧部１７Ｌ・１７Ｍ・１７Ｒ及び下部噴霧部２７Ｌ・２７Ｒの外周部には、複数個のノズル１・１・・・を突設しており、噴霧部１７Ｌ・１７Ｍ・１７Ｒ及び下部噴霧部２７Ｌ・２７Ｒは揺動機構によって、各ノズル１・１・・・を円又は楕円状に旋回させている。
【０００８】
次に、シャーシ９の後部上に配設する本発明の上部噴霧装置Ｆの取付構成について説明する。
前記シャーシ９後部より後方にバンパー２５を突設し、該バンパー２５後部中央に、支持筒２９の下端に固設した固定プレート２８をボルト３１・３１によって固定し、支持筒２９を垂直方向に立設している。該支持筒２９にポール３０が上下伸縮自在に挿入されており、該支持筒２９の上端にノブネジ３３が螺装され、該ノブネジ３３を締め付けることによってポール３０を上下任意位置に固定できるようにしている。
【０００９】
そして、ポール３０の上端には左右二組の噴霧部４３Ｌ・４３Ｒが配置されている。その取付構成は図３に示すように、ポール３０上端に取付金具３４・３４が固定され、該取付金具３４・３４はボルト・ナット３５を緩めることで上下に位置調節可能としている。一側の噴霧部４３について説明すると、該取付金具３４の先端に基部パイプ３６が着脱可能に取付られ、該基部パイプ３６下端に薬液ホース５０がカプラー４９を介して連結され、該基部パイプ３６の上端から分岐管４１が左右斜め方向に突出され、該分岐管４１の先端にノズル４０・４０の基部が回転自在に取り付けられ、蝶ネジ４２を締め付けることで水平方向の任意の角度に固定できるようにしている。また、分岐管４１が回動可能に取り付けられており、該分岐管４１を回動調節して上下方向の角度も変更できる。
【００１０】
このようにして、ポール３０に取付金具３４・３４を上下位置で左右方向に突出して固定し、該取付金具３４・３４にそれぞれ二つのノズル４０・４０を有する基部パイプ３６・３６を固定し、それぞれのノズル４０・４０の基部においては水平方向で角度を調節して所望の方向に薬剤を散布するようにしている。前記薬液ホース５０・５０はポール３０及び支持筒２９の中途部で結束バンドで縛られて支持されている。
但し、本実施例では左右各々二つのノズル４０・４０を配置しているが、その数は限定するものではなく、一つであっても三つ以上であっても構わない。
【００１１】
そして、前記薬液ホース５０・５０への配管構成を図４より説明する。サイドコラム上に配置した元コック２１と分岐コック２２には、動力噴霧機２によって吸引された薬液タンク１３内の薬液を元コック２１に圧送している。該元コック２１は三方向切換弁で構成され、二次側の一方を分岐コック２２に連結し、他方には戻り側ホースを連結している。前記分岐コック２２は、左中右のコック２２Ｌ・２２Ｍ・２２Ｒを有し、元コック２１から三方向に分岐して、それぞれコック２２Ｌ・２２Ｍ・２２Ｒにより開閉でき、それぞれ左中右の噴霧部１７Ｌ・１７Ｍ・１７Ｒに接続している。また、左右の前記コック２２Ｌ・２２Ｒには、更に分岐管２４Ｌ・２４Ｒが接続され、該分岐管２４Ｌ・２４Ｒから左右の下部噴霧部２７Ｌ・２７Ｒに下部コック２３Ｌ・２３Ｒを介して接続されている。
【００１２】
前記左右の下部噴霧部２７Ｌ・２７Ｒには、それぞれ複数（本実施例では２ヵ所）のノズル１・１が設けられ、このノズル１・１の何れか一つを外して左右それぞれ前記薬液ホース５０Ｌ・５０Ｒを接続している。なお、本実施例の図４では上側のノズルを外しているが下側を外して薬液ホース５０を取り付けることも可能である。
また、比較的低く下側に枝葉が繁っている樹木への散布の場合には噴霧部１７Ｌ・１７Ｒの最上部のノズルを外して薬液ホース５０Ｌ・５０Ｒを接続することも可能である。つまり、噴霧部のノズル１・１・・・のいずれを外しても薬液ホース５０を接続できるようにしており、樹木の栽培状態に合わせて任意に接続を変更でき、簡単に配管を変更できるようにしているのである。
【００１３】
また、他の配管構成として、図５に示すようにもできる。即ち、下部コック２３Ｌ・２３Ｒと下部噴霧部２７Ｌ・２７Ｒ（または噴霧部１７Ｌ・１７Ｒ）を接続する配管途中にチーズ管２５Ｌ・２５Ｒを設け、該チーズ管２５Ｌ・２５Ｒの出口側の一方は下部噴霧部２７Ｌ・２７Ｒ（または噴霧部１７Ｌ・１７Ｒ）に接続し、他方に薬液ホース５０Ｌ・５０Ｒを接続する構成としている。このチーズ管２５Ｌ・２５Ｒを設けるだけの簡単な構成で上部噴霧装置Ｆに分岐して噴霧作業ができるようにしている。不要な場合は栓をして閉じることができ、汎用性の高い構成としている。
【００１４】
このように構成して、図６に示す如くに、樹木間を走行しながら両側に散布するときには、元コック２１及びコック２２Ｌ・２２Ｍ・２２Ｒを開いて、上部噴霧装置Ｆより樹木の上方より噴霧し、噴霧部Ｃより樹木の左右両側に噴霧する。なお、噴霧部１７Ｍは不必要なため前記コック２２Ｍは閉じている。
そして、旋回のときは旋回外側のコック２２Ｌ（または２２Ｒ）を閉じて、内側の噴霧部１７Ｌ（または１７Ｒ）と上部噴霧装置Ｆの噴霧部４３Ｌ（または４３Ｒ）より片側に噴霧して、無駄な噴霧を防止している。また、急斜面の傾斜地で機体側方の山側に樹木が位置していない散布作業のときも同様に、山側の分岐コック２２Ｌ（または２２Ｒ）を閉じて谷側のみ噴霧するようにしている。
【００１５】
【発明の効果】
本発明は以上の如く構成したので、次のような効果を奏するのである。
ノズルを扇状に複数個配設して、左右及び上下に噴霧可能とする噴霧部Ｃと、下方左右に噴霧可能とする下部噴霧部２７と、前記噴霧部Ｃの上方位置で噴霧する上部噴霧装置Ｆを有する自走式防除機であって、運転席１１の近傍に配置したコラム上に、元コック２１と分岐コック２２を配置し、該元コック２１には動力噴霧機２によって吸引された薬液タンク１３内の薬液を圧送し、該元コック２１は三方向切換弁により構成され、二次側の一方を分岐コック２２に連結し、他方は薬液タンク１３への戻り側ホースを連結し、前記分岐コック２２は、左中右のコック２２Ｌ・２２Ｍ・２２Ｒを有して三方向に分岐しかつ開閉可能とし、それぞれコック２２Ｌ・２２Ｍ・２２Ｒを噴霧部Ｃの左中右の噴霧部１７Ｌ・１７Ｍ・１７Ｒに接続し、該左右の前記コック２２Ｌ・２２Ｒには、更に、分岐管２４Ｌ・２４Ｒが接続され、該分岐管２４Ｌ・２４Ｒは下部噴霧部２７の左右の下部噴霧部２７Ｌ・２７Ｒに下部コック２３Ｌ・２３Ｒを介して接続し、前記左右の下部噴霧部２７Ｌ・２７Ｒより、左右の上部噴霧装置Ｆへの噴霧部４３Ｌ・４３Ｒへの薬液ホース５０Ｌ・５０Ｒを接続し、前記噴霧部Ｃ、下部噴霧部２７及び上部噴霧装置Ｆをそれぞれ左右独立して噴霧可能としたので、旋回時、或いは、急斜面の傾斜地で機体側方の山側に樹木が位置していない場合や、作業開始工程や最終工程で片側にのみ樹木がある場合の散布作業を行うときに、旋回外側や山側や樹木が存在しない側の噴霧コックを閉じて噴霧させないようにすることができて、無駄な散布を防止でき、薬害の発生も防止できたのである。
そして、その操作は運転部に設けたコックを開閉する操作だけなので、簡単に行え、また、配管も左右の噴霧部より分岐した構成なので、配管構成も簡単に行えるようになったのである。
【図面の簡単な説明】
【図１】  本発明の上部噴霧装置を装着した自走式防除機の全体側面図である。
【図２】  同じく上部噴霧装置を装着した自走式防除機の後面図である。
【図３】  上部噴霧装置の斜視図である。
【図４】  噴霧部、下部噴霧部及び上部噴霧装置への薬液を圧送する配管図である。
【図５】  同じく他の実施例を示す配管図である。
【図６】  作業時の噴霧状態を示す平面図である。
【符号の説明】
Ｆ        上部噴霧装置
Ｃ        噴霧部
１・４０  ノズル
１７      揺動噴霧部
２２      分岐コック
２７      下部噴霧部
【図１】
0003739865.tif 000002
【図２】
0003739865.tif 000003
【図３】
0003739865.tif 000004
【図４】
0003739865.tif 000005
【図５】
0003739865.tif 000006
【図６】
0003739865.tif 000007